(57)【要約】貯留タンクに車両外部から液体を供給する液体供給管の走行時に受ける衝撃や車両下方からの石跳ね等に対して、保護性能を向上できる車体構造を提供することを目的とし、車体構造は、車両の左右に前後方向に延在するサイドメンバに固定され車幅方向に延在するクロスメンバと、前記左右のサイドメンバ間に配設され、液体が貯留される貯留タンクと、クロスメンバの下方にクロスメンバに支持されて取り付けられる車両の下部構造体と、貯留タンクに車両外部から液体を供給する供給管と、を備え、供給管は、車両の下部構造体の上方でクロスメンバを貫通して貯留タンクに接続される。
2020241231.tif 000002
【特許請求の範囲】
【請求項１】
車両の左右に前後方向に延在するサイドメンバに固定され車幅方向に延在するクロスメンバと、
前記左右のサイドメンバ間に配設され、液体が貯留される貯留タンクと、
前記クロスメンバの下方に前記クロスメンバに支持されて取り付けられる車両の下部構造体と、
前記貯留タンクに車両外部から液体を供給する供給管と、を備え、
前記供給管は、前記車両の下部構造体の上方で前記クロスメンバを貫通して前記貯留タンクに接続されることを特徴とする車体構造。
【請求項２】
前記供給管は、一端が車両外部から液体を供給する供給口と接続され他端が前記貯留タンクの流入口と接続され、前記供給口は前記供給管が前記クロスメンバを貫通する貫通部分より上方に位置し、前記貫通部分は前記流入口より上方に位置していることを特徴とする請求項１に記載の車体構造。
【請求項３】
前記供給管が前記クロスメンバを貫通する前記貫通部分は前記流入口に向って下降するように傾斜していることを特徴とする請求項２に記載の車体構造。
【請求項４】
前記クロスメンバの前後で前記クロスメンバを貫通する前記供給管を支持する供給管保持ブラケットが、前記クロスメンバに取り付けられることを特徴する請求項１から３の何れか１項に記載の車体構造。
【請求項５】
前記クロスメンバの車両後方側に配設される前記貯留タンクは、前記左右のサイドメンバに固定され車幅方向に延在して配設されることを特徴とする請求項１から４の何れか１項に記載の車体構造。
【請求項６】
前記車両の下部構造体は、スペアタイヤであり前記スペアタイヤが前記クロスメンバの下部に取り付けられた状態で、前記クロスメンバを貫通した前記供給管は前記スペアタイヤの上方を前記貯留タンクに向かって下降するように傾斜していることを特徴とする請求項１から５の何れか１項に記載の車体構造。
【発明の詳細な説明】
【技術分野】
【０００１】
本開示は、貯留タンクを搭載する車両の車体構造に関する。
【背景技術】
【０００２】
内燃機関であるディーゼルエンジンから排出されるリーン排気中の窒素酸化物（ＮＯｘ）を浄化するものとして、尿素水を触媒上で加水分解させてアンモニア（ＮＨ３）を生成させ、そのアンモニア（ＮＨ３）によりＮＯｘを選択還元・浄化する選択還元触媒を排気通路に設けた排気浄化装置を搭載した車両が知られている。例えば、特許文献１には、尿素水を貯留するための尿素水タンクが搭載される車両について示されている。【０００３】
一方、特許文献２には、キャブオーバ型トラックのオイルフィラーについて示され、エンジンのオイルパンに接続されたオイルフィラーがエンジンの側方のフレームに開けられた貫通穴に隙間を設けて挿通される構造が示されている。
【先行技術文献】
【特許文献】
【０００４】
【特許文献１】特開２０１７−９４８８５号公報
【特許文献２】特許第４２３６２３４号公報
【発明の概要】
【発明が解決しようとする課題】
【０００５】
特許文献１には、尿素水タンクが搭載される車両において、尿素水注水口の配設位置を、荷台の床面に設ける構成が示され、さらにサイドゲートやリアゲートや車両側面に設けてもよいことが示されている。また、尿素水注水口と尿素水タンクとが注水管で接続されることが示されている。【０００６】
しかし、特許文献１には、タンクに注水される液体の注水管がクロスメンバを貫通して設けられる構成については開示されていない。また、特許文献２にはエンジンの側方のフレーム、すなわちサイドフレームに開けられた貫通穴を挿通してエンジンオイルがオイルパンに供給される構成が示されるだけであり、オイルフィラーはサイドフレームを貫通するものであり、クロスメンバを貫通する構成ではない。【０００７】
また、車体の下部に設置される液体の供給管は、走行時に受ける衝撃や、車両下方からの石跳ね等に対しての保護性能を向上させることが必要であり、また、タンクへ液体が円滑に安定して供給されることも必要である。【０００８】
そこで、上記課題に鑑み、本発明の少なくとも一つの実施形態は、貯留タンクに車両外部から液体を供給する液体供給管の走行時に受ける衝撃や車両下方からの石跳ね等に対して、保護性能を向上できる車体構造を提供することを目的とする。
【課題を解決するための手段】
【０００９】
（１）前述した目的を達成するために発明されたものであり、本発明の少なくとも一つの実施形態は、車両の左右に前後方向に延在するサイドメンバに固定され車幅方向に延在するクロスメンバと、左右のサイドメンバ間に配設され、液体が貯留される貯留タンクと、前記クロスメンバの下方に前記クロスメンバに支持されて取り付けられる車両の下部構造体と、前記貯留タンクに車両外部から液体を供給する供給管と、を備え、前記供給管は、前記車両の下部構造体の上方で前記クロスメンバを貫通して前記貯留タンクに接続されることを特徴とする。【００１０】
このような構成によれば、供給管は、クロスメンバを車両前後方向に貫通して設けられるので、クロスメンバによって車両下方からの石跳ねや、路面の障害物との接触等に対して保護される。【００１１】
また、クロスメンバの下方にクロスメンバに支持される車両の下部構造体が取り付けられ、供給管は、車両の下部構造体の上方でクロスメンバを貫通するので、クロスメンバの断面構造が下方に開いていても、この車両の下部構造体によって供給管は車両下方からの石跳ねや、路面の障害物との接触等に対して保護される。【００１２】
また、供給管が、クロスメンバを貫通しているので、供給管をクロスメンバの上面に設置する構造に比べて、クロスメンバの上方に配置される車室や荷台のスペースを確保できる。【００１３】
（２）幾つかの実施形態では、前記供給管は、一端が車両外部から液体を供給する供給口と接続され他端が前記貯留タンクの流入口と接続され、前記供給口は前記供給管が前記クロスメンバを貫通する貫通部分より上方に位置し、前記貫通部分は前記流入口より上方に位置していることを特徴とする。【００１４】
このような構成によれば、供給口がクロスメンバの貫通部分より上方に位置し、この貫通部分が流入口より上方に位置しているので、車両外部から注水される液体が貯留タンクへ流入されやすい。【００１５】
（３）幾つかの実施形態では、前記供給管が前記クロスメンバを貫通する前記貫通部分は前記流入口に向って下降するように傾斜していることを特徴とする。【００１６】
このような構成によれば、供給管がクロスメンバを貫通する貫通部分が下方に傾斜しているので、供給管の傾斜状態が維持されて貯留タンクへ液体が流入されやすい。【００１７】
（４）幾つかの実施形態では、前記クロスメンバの前後で前記クロスメンバを貫通する前記供給管を支持する供給管保持ブラケットが、前記クロスメンバに取り付けられることを特徴する。【００１８】
このような構成によれば、クロスメンバを貫通する供給管が、供給管保持ブラケットによってクロスメンバの前後で位置決めされるので、クロスメンバを貫通する供給管とクロスメンバの貫通孔との非接触状態、又は接触状態が安定して維持される。また、貫通部分における傾斜状態が安定して維持される。【００１９】
従って、供給管はクロスメンバを貫通するとともに、クロスメンバに支持されるので、車両の突き上げによる上下方向の衝撃によって、すなわち、後輪を介して車体のフレームに作用する上下方向の衝撃によって、供給管がクロスメンバと当たって接触し、またはクロスメンバ以外の車両下部の他の部材と当たって接触することが防止され、供給管が損傷することから保護される。【００２０】
（５）幾つかの実施形態では、前記クロスメンバの車両後方側に配設される前記貯留タンクは、前記左右のサイドメンバに固定され車幅方向に延在して配設されることを特徴とする。【００２１】
このような構成によれば、クロスメンバの車両後方側に配設される貯留タンクも、クロスメンバと同様に、左右のサイドメンバに固定され車幅方向に延在されるので、クロスメンバと貯留タンクとは、車両走行時においてほぼ同位相で変位するため、供給管のクロスメンバの貫通部分と貯留タンクの流入口との間で大きな変位差が生じて供給管が曲げられることが防止される。これによって供給管の耐久性を向上できる。【００２２】
（６）幾つかの実施形態では、前記車両の下部構造体は、スペアタイヤであり前記スペアタイヤが前記クロスメンバの下部に取り付けられた状態で、前記クロスメンバを貫通した前記供給管は前記スペアタイヤの上方を前記貯留タンクに向かって下降するように傾斜していることを特徴とする。【００２３】
このような構成によれば、スペアタイヤが取り付けられた状態であっても、供給管の傾斜状態は維持されるので、貯留タンクへ液体が流入されやすい。また、路面障害物に車両下部が接触した場合の衝撃に対しては、ゴム素材が使用されたスペアタイヤを介してクロスメンバに伝達されるため、車両の下部構造体として電池パックまたは燃料タンク等の剛体が取り付けられる場合にくらべて、クロスメンバへの荷重及び損傷が低減されるとともに、供給管の損傷を防止又は低減できる。
【発明の効果】
【００２４】
本発明の少なくとも一つの実施形態によれば、貯留タンクに車両外部から液体を供給する供給管の走行時に受ける衝撃や車両下方からの石跳ね等に対して、保護性能を向上できる。
【図面の簡単な説明】
【００２５】
【図１】本発明の一実施形態に係る車体構造を示し、荷台や車室フロアを取り除いた状態での上平面視の概略図である。
【図２】図１のＡ−Ａ視方向の概略断面図である。
【図３】図１の尿素水供給管の貫通部分の他の実施形態を示す概略断面図である。
【図４】図１の車体構造において、車両の前方上方から後方を見下ろした概略斜視図である。
【図５】図１の車体構造において、尿素水供給管及び供給管保持ブラケットの概略斜視図である。
【発明を実施するための形態】
【００２６】
以下、本発明の実施形態を図面に基づいて詳細に説明する。ただし、実施形態として記載されている、または図面に示されている構成部品の相対的配置等は、本発明の範囲をこれらに限定する趣旨ではなく、単なる説明例にすぎない。
【００２７】
図１に本発明の一実施形態を示す。車両１は、尿素ＳＣＲシステムを搭載した、例えばピックアップトラック型のＳＵＶ（Ｓｐｏｒｔ  Ｕｔｉｌｉｔｙ  Ｖｅｈｉｃｌｅ）車両である。車両１の車体構造は、フレーム３とボディとを分離させたセパレートフレーム構造が採用されている。フレーム３上における車両１の前方側には、乗員が搭乗する箱状のキャブ（車室）が配置され、その後方側には荷台が載置される。
【００２８】
なお、車両１は、ピックアップトラック型のＳＵＶに限るものではなく、フレーム上における車両１の後方側においても、前方側と同様に乗員が搭乗する車室であってもよく、その場合には、車両後方側は荷台ではなく車室フロアが搭載される。
【００２９】
車両１には、図１に示すように、尿素ＳＣＲシステムを構成する尿素水タンク（貯留タンク）５が搭載されている。この尿素ＳＣＲシステムとは、エンジンの排ガス中に含まれる窒素酸化物（ＮＯｘ）を浄化するための排ガス浄化システムであり、排気通路上に介装されたＮＯｘ選択還元触媒の上流側に尿素水が噴射され、尿素水の加水分解によって生成されるアンモニアを還元剤として、ＮＯｘが触媒上で窒素に還元されて排出されるシステムである。ＮＯｘ排出量が問題になるディーゼルエンジンやリーンバーンエンジンへ適応されており、本実施形態の車両１は、ディーゼルエンジンが搭載される。
【００３０】
図１は、荷台又は車室フロアを取り除いた状態での車両上方からの上平面視の概略図である。また、図１は、車両１の後向側における車体構造であり、前方側については省略している。車両１には、車体のフレーム３を形成する一対のサイドメンバ７、８が、車幅方向に間隔を空けて車両前後方向に延在して設けられる。また、車体のフレーム３を形成する複数のクロスメンバ（前方クロスメンバ９、スペアタイヤクロスメンバ１１）が、左右の一対のサイドメンバ７、８に両端が固定されて車幅方向に延在して設けられる。
【００３１】
サイドメンバ７、８、前方クロスメンバ９、及びスペアタイヤクロスメンバ（クロスメンバ）１１の配設方向はほぼ水平な方向とされる。また、車両１のキャブや荷台は、これらフレーム３の上に制振マウント部材を介して搭載される。
【００３２】
図１に示すように、車両１の荷台の下面側には、主に、尿素水タンク５、スペアタイヤ１３、ガードバー１５が設けられる。
【００３３】
スペアタイヤ（車両の下部構造体）１３は、後輪１７の車軸１９よりも後方に配置されたスペアタイヤクロスメンバ１１に設けられたスペアタイヤキャリア２１によって着脱可能にスペアタイヤクロスメンバ１１の下面に固定される。スペアタイヤキャリア２１は、チェーンの巻き上げ、巻き下しによりスペアタイヤ１３を昇降させる。チェーンが巻き付けられているスプロケットを手動で回転して、巻き上げることでスペアタイヤ１３を吊り上げ、巻き下すことで地面まで下降させる。
【００３４】
また、図１のようにスペアタイヤ１３は、後輪１７の車軸１９及び差動装置（ディファレンシャル装置）２３の後方で、尿素水タンク５の前方に位置する。また、後輪１７の車軸１９の前方には前方クロスメンバ９が配置され、その前方クロスメンバ９の前方には、差動装置２３に接続されるプロペラシャフト２５が配置され、プロペラシャフト２５の右側には、排気管２７に設けられるマフラー２９が配置される。さらに、プロペラシャフト２５の左側には、車両１の駆動源のディーゼルエンジンへの燃料を貯蔵する燃料タンク３１が配置される。
【００３５】
ガードバー１５は、スペアタイヤ１３の後方において左右方向に向かってほぼ水平に延在する部材である。図１のように上平面視において左右のサイドメンバ７、８の後端より後方に位置されて、さらに尿素水タンク５の後端部分に位置されて、左右のサイドメンバ７、８のそれぞれに対して、左右のブラケット１０、１２を介して堅固に固定される。また、ガードバー１５は、上下方向において尿素水タンク５の下端位置より下方に位置される。
【００３６】
ガードバー１５の主な役割は、車両１が水平路から急坂路を上る際、または急坂路から水平路へ下る際に、尿素水タンク５が路面と干渉して損傷することを防ぐことである。すなわち、尿素水タンク５が路面に接触する前にガードバー１５が路面に接触することで運転者に尿素水タンク５と路面との接触の危険を知らせるとともに、路面との接触から尿素水タンク５を保護する。
【００３７】
また、後突時に車両１の後方からの衝撃力を吸収して、サイドメンバ７、８に直接的に衝撃力が入力されるのを防ぐことである。すなわち、後突時の車両１後方からの衝撃力をまずガードバー１５によって受けて、その後にブラケット１０、１２を介してサイドメンバ７、８に伝達する。
【００３８】
また、ガードバー１５が上下方向において尿素水タンク５の下端位置より下方に位置され、さらに尿素水タンク５の後端部分に位置されるので、尿素水タンク５に対するメンテナンス作業がガードバー１５によって邪魔にされずに尿素水タンク５の下方からできるようになる。
【００３９】
尿素水タンク５は、尿素水溶液が貯留される中空容器である。図１に示すように、尿素水タンク５は、スペアタイヤ１３の後方に車幅方向に延在して設けられる。そして、尿素水タンク５は、スペアタイヤ１３の形状に沿って湾曲した形状の前面５ａと、前面５ａの湾曲形状に沿って後方に突出した後面５ｂとを有し、左右両側のそれぞれの端部は、サイドメンバ７、８に不図示のブラケットを介して固定される。
【００４０】
また、尿素水タンク５の上面の車幅方向のほぼ中央部には、車両前後方向に沿って凹部３３が形成されて、スペアタイヤキャリア２１を操作するための棒状の操作工具を車両後部から差し込めるようになっている。
【００４１】
また、尿素水タンク５には、図４に示すように、尿素水流入口（流入口）３５以外に、尿素水タンク５の内部の圧力が上昇したときにその圧力を開放するためのエアベント３７が設けられる。また、尿素水を供給するときに、尿素水タンク５の内部のあふれた尿素水及び内部の空気を尿素水供給口（供給口）３９に戻すレベリングバルブ４１が設けられる。
【００４２】
図１に示すように、尿素水タンク５に車両外部から尿素水を供給する尿素水供給管（供給管）４３が設けられており、尿素水供給管４３は、スペアタイヤクロスメンバ１１を車両前後方向に貫通して、供給管保持ブラケット５１によってスペアタイヤクロスメンバ１１に支持されて尿素水タンク５の尿素水流入口３５に接続される。また、尿素水供給管４３がスペアタイヤクロスメンバ１１を貫通する部分は、車両の下部構造体であるスペアタイヤ１３の上方に位置されている。
【００４３】
尿素水供給管４３は、図１、５に示すように、可撓性を有する尿素水供給ホース部４３ａの部分と硬質性を有する尿素水供給パイプ部４３ｂの部分とを有して構成されている。
【００４４】
尿素水タンク５の尿素水流入口３５に接続される尿素水供給管４３の下流領域の部分は、尿素水供給ホース部４３ａによって形成され、車両１の荷台側面に設けられる尿素水供給口３９に接続される尿素水供給管４３の上流領域の部分は、尿素水供給ホース部４３ａによって形成され、スペアタイヤクロスメンバ１１が車両前後方向前方側に有する面及び後方側に有する面を貫通するように車両前後方向に貫通する尿素水供給管４３の中間領域の部分は、尿素水供給パイプ部４３ｂによって形成される。図５に、この尿素水供給管４３を構成する尿素水供給ホース部４３ａ及び尿素水供給パイプ部４３ｂの配置関係を示す。
【００４５】
図４に示すように、尿素水供給口３９は、車両外部から尿素水を供給する供給口であり、車両１の荷台側面に、燃料供給口４５と並んで設置されている。尿素水供給管４３は、一端が尿素水供給口３９と接続され他端が尿素水タンク５の尿素水流入口３５と接続されている。
【００４６】
以上のように構成された一実施形態によれば、尿素水供給管４３が、スペアタイヤクロスメンバ１１が車両前後方向前方側に有する面及び後方側に有する面を貫通するように車両前後方向に貫通するので、スペアタイヤクロスメンバ１１によって、尿素水供給管４３は囲われるため、車両下方からの石跳ねや、路面の障害物との接触等に対して保護される。
【００４７】
また、スペアタイヤクロスメンバ１１の下方にスペアタイヤクロスメンバ１１に支持される車両の下部構造体であるスペアタイヤ１３が取り付けられ、尿素水供給管４３がスペアタイヤクロスメンバ１１を貫通する部分が、スペアタイヤ１３の上方に位置されているので、スペアタイヤクロスメンバ１１の断面構造が下方に開いていても、このスペアタイヤ１３によって尿素水供給管４３は車両下方からの石跳ねや、路面の障害物との接触等に対して保護される。なお、車両の下部構造体は、スペアタイヤに限らず、例えば電池パックや燃料タンク等であってもよい。
【００４８】
さらに、尿素水供給管４３が、スペアタイヤクロスメンバ１１が車両前後方向前方側に有する面及び後方側に有する面を貫通しているので、尿素水供給管４３をスペアタイヤクロスメンバ１１の上面に設置する構造に比べて、スペアタイヤクロスメンバ１１の上方に配置される車室や荷台のスペースを確保できる。
【００４９】
幾つかの実施形態では、図２、４に示すように、この尿素水供給口３９は、スペアタイヤクロスメンバ１１より上方に位置され、すなわち、尿素水供給口３９は、尿素水供給管４３がスペアタイヤクロスメンバ１１を貫通する貫通部分Ｂより上方に位置され、さらに、この貫通部分Ｂは、尿素水流入口３５より上方に位置されている。
【００５０】
例えば、図２において、尿素水供給口３９の中心の高さＨ１（水平路面からの高さ）が、尿素水供給管４３の中心であって貫通部分Ｂの中央位置の高さＨ２より高い位置であって、この貫通部分Ｂの中央位置の高さＨ２が、尿素水流入口３５の中心の高さＨ３より高い位置になっている。
【００５１】
従って、このように、尿素水供給口３９が、尿素水供給管４３がスペアタイヤクロスメンバ１１を貫通する貫通部分Ｂより上方に位置し、この貫通部分Ｂが尿素水流入口３５より上方に位置しているので、車両外部から尿素水供給口３９に供給された尿素水が尿素水タンク５へ流入されやすい上下方向の位置関係となっている。
【００５２】
図２には、図１のＡ−Ａ視方向の概略断面図を示し、スペアタイヤ１３がスペアタイヤキャリア２１によって吊り上げられてスペアタイヤクロスメンバ１１の下面に接して固定されている状態を示す。尿素水供給管４３が貫通する貫通部分Ｂにおけるスペアタイヤクロスメンバ１１の断面形状は、下方が開口した台形状の上部材１１ａと、その下方の開口を塞ぐ下板部材１１ｂとが接合されて閉断面を形成している。
【００５３】
この下板部材１１ｂはスペアタイヤクロスメンバ１１の強度、重量及び他の部品との関係で、車幅方向の全域に設置されていない。尿素水供給管４３が貫通する貫通部分Ｂの下方部分に設けられてなくてもよい。また、スペアタイヤキャリア２１が設置される下方部分では、スペアタイヤ１３を昇降させるチェーンが昇降するため開放されているので、この部分には下板部材１１ｂは設けられていない。
【００５４】
上部材１１ａの前側壁及び後側壁に、それぞれ貫通孔４７、４７が形成されて、それぞれの貫通孔４７、４７の内側に隙間を介して尿素水供給管４３が前後方向に挿通される。なお、貫通孔４７の内側に隙間を介さずに接触させて尿素水供給管４３を挿通させてもよい。
【００５５】
幾つかの実施形態では、図３に示すように、尿素水供給管４３が貫通するスペアタイヤクロスメンバ１１の貫通部分Ｂに保護円筒部材４９が内装され、その保護円筒部材４９の内側に隙間を介して尿素水供給管４３が挿通されている。
【００５６】
このように保護円筒部材４９を設けて、その内側に尿素水供給管４３が挿通されることで、尿素水供給管４３の保護が一層向上する。なお、保護円筒部材４９の内側に隙間を介さずに接触させて尿素水供給管４３を挿通させてもよい。この場合には尿素水供給管４３の支持が安定するため保護及び支持機能がさらに向上する。
【００５７】
幾つかの実施形態では、図１〜５に示すように、尿素水供給管４３をスペアタイヤクロスメンバ１１の前側と後側の位置でそれぞれ保持する供給管保持ブラケット５１が、スペアタイヤクロスメンバ１１の上面にボルト５３によって取り付けられる。
【００５８】
図５に示すように、供給管保持ブラケット５１は、スペアタイヤクロスメンバ１１の上面にボルト締結される本体部５１ａと、その本体部５１ａからスペアタイヤクロスメンバ１１の前側及び後側にそれぞれ突出する前アーム５１ｂと後アーム５１ｃとを有し、尿素水供給管４３の尿素水供給パイプ部４３ｂの部分を保持する前側クリップ５５と後側クリップ５７とが、それぞれ前アーム５１ｂと後アーム５１ｃによって支持される。
【００５９】
なお、供給管保持ブラケット５１に、図５に２点鎖線で示すように本体部５１ａからさらにアームを突出して、尿素水タンク５に設けられたエアベント３７やレベリングバルブ４１に接続する配管を、スペアタイヤクロスメンバ１１の上面で支持するようにしてもよい。このようにすることで、供給管保持ブラケット５１を用いて尿素水タンク５への給水及びエアベント及びオーバーフローの配管をまとめることができる。
【００６０】
スペアタイヤクロスメンバ１１を貫通する尿素水供給管４３が、供給管保持ブラケット５１によってスペアタイヤクロスメンバ１１の前側及び後側で位置決めされるので、スペアタイヤクロスメンバ１１に対する尿素水供給管４３の貫通状態が安定し、尿素水供給管４３とスペアタイヤクロスメンバ１１の貫通孔４７との非接触状態又は接触状態を安定して維持できる。また、貫通部分Ｂにおける傾斜状態を安定して維持できる。
【００６１】
すなわち、供給管保持ブラケット５１がスペアタイヤクロスメンバ１１に取り付けられて一体化するので、スペアタイヤクロスメンバ１１の変位と同様に尿素水供給管４３も変位するため、スペアタイヤクロスメンバ１１を貫通する尿素水供給管４３とスペアタイヤクロスメンバ１１の貫通孔４７、４７との非接触状態又は接触状態、さらには、図３の実施形態で説明した保護円筒部材４９との非接触状態又は接触状態が維持される。
【００６２】
従って、尿素水供給管４３は、スペアタイヤクロスメンバ１１を貫通するとともに、スペアタイヤクロスメンバ１１に支持されるので、車両の突き上げによる上下方向の衝撃が加わったときに、すなわち、後輪を介して車体のフレーム３に作用する上下方向の衝撃が加わったときに、尿素水供給管４３とスペアタイヤクロスメンバ１１とが別々に上下方向に移動して、尿素水供給管４３がスペアタイヤクロスメンバ１１と衝突し、またスペアタイヤクロスメンバ１１以外の車両下部の他の部材と衝突することが防止され、尿素水供給管４３が損傷することから保護される。
【００６３】
また、供給管保持ブラケット５１は、本体部５１ａとその本体部５１ａからスペアタイヤクロスメンバ１１の前側及び後側にそれぞれ突出する前アーム５１ｂと後アーム５１ｃとを有して、スペアタイヤクロスメンバ１１の上面に本体部５１ａが取り付けられるので、すなわち、スペアタイヤクロスメンバ１１の上面を跨ぐようにして供給管保持ブラケット５１が取り付けられるので、供給管保持ブラケット５１のスペアタイヤクロスメンバ１１への取り付けが安定化する。従って、車両１の走行によってスペアタイヤクロスメンバ１１から供給管保持ブラケット５１が脱落する危険性が防止される。
【００６４】
幾つかの実施形態では、図１、４に示すように、スペアタイヤクロスメンバ１１の車両後方側に配設される尿素水タンク５も、スペアタイヤクロスメンバ１１と同様に、左右のサイドメンバ７、８に固定され車幅方向に延在されて配置される。
【００６５】
このように、スペアタイヤクロスメンバ１１の車両後方側に配設される尿素水タンク５も、スペアタイヤクロスメンバ１１と同様に、左右のサイドメンバ７、８に固定され車幅方向に延在されて配置されるので、スペアタイヤクロスメンバ１１と尿素水タンク５とは、車両走行時においてほぼ同位相で変位するため、すなわち、供給管保持ブラケット５１と尿素水タンク５の尿素水流入口３５とがほぼ同位相で変位するため、供給管保持ブラケット５１による支持部と尿素水流入口３５の接続部とに大きな変位差が生じて尿素水供給管４３が曲げられることが防止される。従って、尿素水供給管４３の耐久性を向上できる。
【００６６】
幾つかの実施形態では、図２に示すように、前側クリップ５５と、後側クリップ５７の高さ関係は、前側クリップ５５の位置が後側クリップ５７の位置より高くなるように設定されている。従って、尿素水供給管４３は、スペアタイヤクロスメンバ１１を貫通する貫通部分Ｂで、供給された尿素水が尿素水流入口３５に向って下降するように傾斜されるので、尿素水タンク５へ尿素水の供給が流入されやすい。
【００６７】
尿素水供給管４３の傾斜状態は、図２に示すように、前側クリップ５５の部分における尿素水供給管４３の中心位置Ｐ１と、後側クリップ５７の部分における尿素水供給管４３の中心位置Ｐ２と、によって傾斜角度がθ１に設定されている。すなわち、スペアタイヤクロスメンバ１１を貫通する貫通部分Ｂによって尿素水供給管４３は傾斜角度θ１に傾斜するように設定される。
【００６８】
また、尿素水供給管４３の傾斜状態は、大きく分けて、スペアタイヤクロスメンバ１１を貫通する貫通部分Ｂによって設定される傾斜角度θ１が保持されてほぼスペアタイヤ１３の外径部分に至るまでの第１の傾斜領域Ｋ１と、その後、傾斜角度θ１より大きい傾斜角度θ２を保持して尿素水タンク５の尿素水流入口３５に接続するまでの第２の傾斜領域Ｋ２と、を有している。
【００６９】
このように、スペアタイヤ１３がスペアタイヤクロスメンバ１１の下部に取り付けられた状態でも、スペアタイヤクロスメンバ１１を貫通した尿素水供給管４３は、スペアタイヤ１３の上方を尿素水タンク５の尿素水流入口３５に向かって下降するように傾斜状態が維持されるので、尿素水タンク５への尿素水の供給がスムーズに行われる。
【００７０】
なお、車両の下部構造体がスペアタイヤ１３である例を示したが、スペアタイヤ１３に限らず、ハイブリッド車両の電池パックであっても、また、エンジンの燃料を貯蔵する燃料タンクであってもよく、この電池パックや燃料タンクの場合であっても、尿素水供給管４３の傾斜状態は供給管保持ブラケット５１によって維持されることによって、尿素水は尿素水タンク５へスムーズに供給される。
【００７１】
車両の下部構造体がスペアタイヤ１３でなく、ハイブリッド車両の電池パックであっても、また、エンジンの燃料を貯蔵する燃料タンクであってもよいが、路面障害物に車両下部が接触した場合の衝撃に対しては、ゴム素材が使用されたスペアタイヤ１３の場合は、スペアタイヤ１３を介してスペアタイヤクロスメンバ１１に衝撃力が伝達されるため、電池パックまたは燃料タンクが取り付けられた場合にくらべて、スペアタイヤクロスメンバ１１への荷重及び損傷が低減されるとともに、尿素水供給管４３の損傷を防止又は低減できる。
【００７２】
以上説明した実施形態では、貯留タンクが尿素水タンク５である例を示したが、貯留タンクは液体を貯留するタンクであればよく、燃料を貯留する燃料タンクや洗浄液を貯留するタンクであってもよい。
【産業上の利用可能性】
【００７３】
本発明の少なくとも一つの実施形態によれば、貯留タンクに車両外部から液体を供給する供給管の走行時に受ける衝撃や車両下方からの石跳ね等に対して、保護性能を向上できるので、車両の車体構造への利用に適する。
【符号の説明】
【００７４】
１  車両
３  フレーム
５  尿素水タンク（貯留タンク）
７、８  サイドメンバ
９  前方クロスメンバ
１１  スペアタイヤクロスメンバ（クロスメンバ）
１３  スペアタイヤ（車両の下部構造体）
１５  ガードバー
１７  後輪
１９  車軸
２１  スペアタイヤキャリア
２３  差動装置
２５  プロペラシャフト
２９  マフラー
３１  燃料タンク
３５  尿素水流入口（流入口）
３９  尿素水供給口（供給口）
４３  尿素水供給管（供給管）
４３ａ  尿素水供給ホース部
４３ｂ  尿素水供給パイプ部
４９  保護円筒部材
５１  供給管保持ブラケット
５３  ボルト
５５  前側クリップ
５７  後側クリップ
Ｂ  貫通部分
Ｈ１  尿素水供給口の高さ
Ｈ２  貫通部分の高さ
Ｈ３  尿素水流入口の高さ
Ｐ１  前側クリップ部分の中心位置
Ｐ２  後側クリップ部分の中心位置
Ｋ１  第１の傾斜領域
Ｋ２  第２の傾斜領域
θ１、θ２  傾斜角度
【図１】
2020241231.tif 000003
【図２】
2020241231.tif 000004
【図３】
2020241231.tif 000005
【図４】
2020241231.tif 000006
【図５】
2020241231.tif 000007
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
車両の左右に前後方向に延在するサイドメンバに固定され車幅方向に延在するクロスメンバと、
前記左右のサイドメンバ間に配設され、液体が貯留される貯留タンクと、
前記クロスメンバの下方に前記クロスメンバに支持されて取り付けられる車両の下部構造体と、
前記貯留タンクに車両外部から液体を供給する供給管と、を備え、
前記供給管は、前記車両の下部構造体の上方で前記クロスメンバを貫通して前記貯留タンクに接続され、
前記クロスメンバの前後で前記クロスメンバを貫通する前記供給管を支持する供給管保持ブラケットが、前記クロスメンバに取り付けられることを特徴とする車体構造。
【請求項２】
前記供給管は、一端が車両外部から液体を供給する供給口と接続され他端が前記貯留タンクの流入口と接続され、前記供給口は前記供給管が前記クロスメンバを貫通する貫通部分より上方に位置し、前記貫通部分は前記流入口より上方に位置していることを特徴とする請求項１に記載の車体構造。
【請求項３】
前記供給管が前記クロスメンバを貫通する前記貫通部分は前記流入口に向って下降するように傾斜していることを特徴とする請求項２に記載の車体構造。
【請求項４】
（削除）
【請求項５】
前記クロスメンバの車両後方側に配設される前記貯留タンクは、前記左右のサイドメンバに固定され車幅方向に延在して配設されることを特徴とする請求項１から３の何れか１項に記載の車体構造。
【請求項６】
前記車両の下部構造体は、スペアタイヤであり前記スペアタイヤが前記クロスメンバの下部に取り付けられた状態で、前記クロスメンバを貫通した前記供給管は前記スペアタイヤの上方を前記貯留タンクに向かって下降するように傾斜していることを特徴とする請求項１から３または５の何れか１項に記載の車体構造。
【国際調査報告】
2020241231.tif 000008
2020241231.tif 000009
2020241231.tif 000010
2020241231.tif 000011
2020241231.tif 000012